(57)【要約】【課題】原稿読み取り部と画像処理部との間を接続し画像情報を伝送するケーブルのノイズ特性を改善すると共に、原稿読み取り部の動作に伴い発生するノイズ特性のバラツキや信号特性のバラツキを極力抑えることが可能な画像読み取り装置を提供する。【解決手段】光透過性部材上のシートに光を照射して、その反射光を読み取る原稿読み取り部と、前記原稿読み取り部を副走査方向に移動する移動手段と、前記原稿読み取り部にケーブルを介して接続され、該ケーブルを通して得られる画像情報の信号処理を行う画像処理部とを備えた画像読み取り装置において、前記ケーブルの接続用として前記画像処理部に実装された画像処理部側接続手段は、前記移動手段によって移動する前記原稿読み取り部の移動範囲の略中央に配置した。【選択図】　　　　図１
2004048653.tif 000002
【特許請求の範囲】
【請求項１】
被写体に光を照射して、その被写体からの光を読み取る画像読み取り部と、前記画像読み取り部を副走査方向に移動する移動手段と、前記画像読み取り部にケーブルを介して接続され、該ケーブルを通して得られる画像情報の信号処理を行う画像処理部と、該画像処理部を覆う筐体部材とを備え、
前記ケーブルの接続用として前記画像処理部に実装された画像処理部側接続手段は、前記移動手段によって移動する前記画像読み取り部の移動範囲の略中央に配置するとともに、前記画像処理部の中央部は前記移動範囲の略中央よりも端部側に設けられていることによって前記ケーブルと前記筐体部材との接触範囲を広げたことを特徴とする画像読み取り装置。
【請求項２】
前記ケーブルを前記画像読み取り部に接続する接続箇所は、該画像読み取り部の主査方向に対して端部及び中央部以外の位置に設けたことを特徴とする請求項１記載の画像読み取り装置。
【請求項３】
前記ケーブルを前記画像読み取り部に接続する接続箇所を、該画像読み取り部の主査方向に対して１６分の７の位置に設けたことを特徴とする請求項２に記載の画像読み取り装置。
【請求項４】
前記画像処理部側のケーブル出口近傍で前記ケーブルを固定するケーブル固定手段を設けたことを特徴とする請求項１乃至３のいずれかに記載の画像読み取り装置。
【請求項５】
前記ケーブル固定手段は、潤滑性の高い樹脂材によるケーブルクランプ部材で構成したことを特徴とする請求項４記載の画像読み取り装置。
【請求項６】
前記ケーブル固定手段は、フェライトコア材で構成したことを特徴とする請求項４記載の画像読み取り装置。
【請求項７】
前記ケーブルは、前記画像処理部側接続手段の近傍でケーブル巻き取り構造を有することを特徴とする請求項乃至３のいずれか記載の画像読み取り装置。
【請求項８】
前記ケーブルは、シールド材を剥き出しにしたシールドケーブルで構成したことを特徴とする請求項６記載の画像読み取り装置。
【請求項９】
主走査方向が原稿の長手方向であり、副走査方向が原稿の短手方向であることを特徴とする請求項１乃至３のいずれかに記載の画像読み取り装置。
【請求項１０】
前記画像処理部は、前記画像読み取り部に対して鉛直方向に実装され、前記ケーブルは、前記画像読み取り部の移動動作に対して平行な方向に屈曲することを特徴とする請求項１乃至３のいずれか記載の画像読み取り装置。
【請求項１１】
前記ケーブルは、蛇腹構造を有していることを特徴とする請求項１乃至３のいずれかに記載の画像読み取り装置。
【発明の詳細な説明】
【０００１】
【発明の属する技術分野】
本発明は複写機等に搭載される画像読み取り装置に関する。
【０００２】
【従来の技術】
従来、ガラス上に置いた原稿に光を照射して、その反射光をコンタクトイメージセンサ（以下ＣＩＳ）に結像することにより原稿上の画像を読み取る原稿読み取り部を備えた画像読み取り装置において、ＣＩＳの駆動信号及びＣＩＳによる画像読み取り信号は、ＣＩＳを搭載した原稿読み取り部と画像処理部をケーブル接続して伝送する形態になっている。
【０００３】
この原稿読み取り部と画像処理部とを繋ぐケーブルには、ＣＩＳの副走査方向の往復運動を可能とするために、屈曲方向に柔軟性を持ったフラット型ケーブル等を利用する。
【０００４】
【発明が解決しようとする課題】
しかしながら、上記従来の画像読み取り装置では、次のような問題点があった。
【０００５】
上記ケーブルは、高速信号を伝送するとともに、屈曲疲労をも避ける必要があり比較的長尺かつ冗長になるために、ノイズ規格で定められた周波数帯域において高レベルの放射ノイズを発生させ、製品のノイズ規格適合において課題となることが多い。
【０００６】
加えて、該ＣＩＳの副走査方向の往復運動に伴って、該ケーブルの形状が不安定な状態で変化し易く、該ケーブルのアンテナとしての周波数特性が繰り返し動作の度に不安定に変動し、広い周波数帯域に渡って放射ノイズが発生すると共に、製品のノイズ特性のバラツキ要因にもなってしまう。また、アンテナとしての特性が不安定なことは、伝送線路としての特性の不安定さにもつながり、信号の反射、遅延、クロストークノイズ等にも影響を与え易い。
【０００７】
そこで、原稿読み取り部と画像処理部との間を接続し信号伝送するケーブルの形態を該ケーブルが接続されるコネクタの位置関係を工夫することにより、ケーブル長を極力短くしてノイズ特性を改善すると共に、原稿読み取り部の動作に伴い発生するノイズ特性のバラツキ、信号特性のバラツキを極力抑えることが望まれていた。
【０００８】
本発明は上記従来の問題点に鑑み、原稿読み取り部と画像処理部との間を接続し画像信号を伝送するケーブルのノイズ特性を改善すると共に、原稿読み取り部の動作に伴い発生するノイズ特性のバラツキや信号特性のバラツキを極力抑えることが可能な画像読み取り装置を提供することを目的とする。
【０００９】
【課題を解決するための手段】
上記目的を達成するために、本発明の画像読み取り装置では、被写体に光を照射して、その被写体からの光を読み取る画像読み取り部と、前記画像読み取り部を副走査方向に移動する移動手段と、前記画像読み取り部にケーブルを介して接続され、該ケーブルを通して得られる画像情報の信号処理を行う画像処理部と、該画像処理部を覆う筐体部材とを備え、前記ケーブルの接続用として前記画像処理部に実装された画像処理部側接続手段は、前記移動手段によって移動する前記画像読み取り部の移動範囲の略中央に配置するとともに、前記画像処理部の中央部は前記移動範囲の略中央よりも端部側に設けられていることによって前記ケーブルと前記筐体部材との接触範囲を広げたことを特徴とする。
【００１０】
【発明の実施の形態】
以下、本発明の実施の形態を図面に基づいて説明する。
【００１１】
［第１実施形態］
図１（ａ），（ｂ）は、本発明の第１実施形態に係る画像読み取り装置の構成を示す模式図であり、同図（ａ）は、その上面図、同図（ｂ）は、副走査方向の側面図である。なお、後述する実施形態（例えば図８など）と共通の要素には同一の符号を付し、その説明を後段に譲る。
【００１２】
本実施形態においては、同図に示すように、画像処理基板１０Ａと外部Ｉ／Ｆ基板９が分かれておらず、外部Ｉ／Ｆコネクタ２２も含めて同一基板上に全ての回路が搭載されている。そして、原稿読み取り部３の副走査方向の略中央に配置された画像処理部側コネクタ１１に接続される画像信号伝送フラット型ケーブル４の一端が、該画像処理基板１０Ａを覆うシールドケース２の上面に設けられた開口部を通ってコネクタ１１に接続され、さらにケーブル４の他端が、該開口部の極近傍、つまり該原稿読み取り部３の副走査方向の略中央に配置固定された平型フェライトコア１７を通して原稿読み取り部３側のコネクタ１２に接続されている。
【００１３】
このような構成とすることにより、図９に示した第３実施形態の構成に比べて、若干ケーブルの余剰部分が必要になり長さが長くなるものの、ユニット全体の薄型化が図れるという大きなメリットが得られる。
【００１４】
さらに、コネクタ１１を画像処理基板１０Ａの端部側、本実施形態においては、端部に設けることによって、外部インタフェース（例えば、後述するＩ／Ｆ基板９）とリンクすることを容易にすることができる。
【００１５】
さらに、上述のように、コネクタ１１を画像処理基板１０Ａの端部側、本実施形態においては、端部に設けることによって、シールドケース２と画像信号伝送フラット型ケーブル４とが接触する範囲が広くなる。また、接触する時間も長くなる。そうすると、ノイズ特性を改善すると共に、原稿読み取り部の動作に伴い発生するノイズ特性のバラツキや信号特性のバラツキを極力抑えることになる。
【００１６】
［第２実施形態］
図２は、本発明の第２実施形態に係る画像読み取り装置の外観斜視図であり、図３は、図２に示した画像読み取り装置における要部の電気的な接続状態を示すブロック図である。
【００１７】
この画像読み取り装置は、装置の本体枠１の長手方向に、ＣＩＳ基板３ａや照明系を搭載した原稿読み取り部３を支持するためのレール５が両サイドに渡されており、原稿読み取り部３が低摩擦接触部材６を介して該レール５とガラス製の原稿台９に挟まれながら副走査方向（本体枠の長手方向に相当する）に可動することによって、原稿台９上に置かれた原稿を読み取る構造になっている。
【００１８】
一方、画像処理部１０は、画像処理基板１０ａを覆う形でシールドケース２が取り付けられており、原稿読み取り部３との間の画像信号伝送用フラット型ケーブル４に接続される画像処理部１０側のコネクタ１１の極近傍に存在するケーブル出口が、原稿読み取り部３の副走査方向動作範囲の略中央に位置している。画像処理基板１０ａは、その一部がＣＩＳ基板３ａの副走査方向の動作範囲の略中央に掛かるように配置され、該画像処理基板１０ａのＣＩＳ基板３ａ動作範囲の略中央に掛かる部分にコネクタ１１が実装されている。ケーブル４は一端を該コネクタ１１に接続され、もう一端をＣＩＳ基板３ａ上のコネクタ１２に接続されている。よって、ケーブル４は、ＣＩＳ基板３ａの副走査方向動作範囲の略１／２の長さになる。
【００１９】
この画像処理部１０側のケーブル出口付近では、潤滑性の高い樹脂製のケーブルクランプ材７によってケーブル４が固定されており、原稿読み取り部３の動作に伴って発生するケーブルコネクタ１１への機械的なストレスを緩和する役割を果たしている。なお、画像処理基板１０ａから外部Ｉ／Ｆ基板９に出力する信号はシールドケーブル８を介して伝送される。ケーブル８は、一端を画像処理基板１０ａ上のコネクタ２１に接続され、もう一端を外部Ｉ／Ｆ基板９上のコネクタ２２に接続されている。
【００２０】
上記構成の画像読み取り装置によれば、図示しないホストコントローラからＩ／Ｆ基板９にコントロール信号として画像読み取り開始の指令が来ると、画像処理基板１０ａからＣＩＳ基板３ａへＣＩＳ駆動ＣＬＫ信号やＬＥＤ点灯のためのコントロール信号等が送られる。これにより、ＣＩＳ基板３ａは読み取り作業を開始し、読み取ったデータを画像処理基板１０ａに送る。画像処理基板１０ａは、受け取った画像データに相応の処理を施してＩ／Ｆ基板９を介して、ホストコントローラへ画像情報を送る、という流れになっている。
【００２１】
図４は、図３に示したＣＩＳ基板（ＣＩＳモジュール）３ａの構成を示す断面図である。
【００２２】
このＣＩＳ基板３ａは、カバーガラス３３、ＬＥＤからなる照明光源３４、セルフォックレンズ等からなる等倍結像レンズ３５、及びカラーラインセンサ３２が基板３１上に実装されており、それらがモールド３６に取り付けられることによって一体のＣＩＳモジュールを形成している。
【００２３】
図５は、図４に示したＣＩＳモジュール３ａのカラーラインセンサ３２を巨視的に捉えた平面図である。
【００２４】
このカラーラインセンサ３２は、基板３１上に、１６個のＣＣＤチップ３２−１，３２−２，…，３２−１６が直線上に実装されて形成されている。その各ＣＣＤチップから信号が出力されるため、それぞれのＣＣＤチップに対応して同時に１６チャネルの信号が読み出される。１６チャネルの信号は、図示しないアナログ信号処理部にて、ゲインオフセットの調整がなされた後、Ａ／Ｄコンバータにてデジタル信号に変換される。
【００２５】
図６は、図４に示したＣＩＳモジュール３ａにおけるカラーラインセンサ３２の微視的部分を拡大した図である。
【００２６】
図中の３２Ａの各矩形が読み取り画素を表し、本実施形態では、６００ｄｐｉの等倍読取用のＣＩＳモジュールを使用しているので、１画素の大きさは４２×４２μｍである。本実施形態のカラーラインセンサ３２は、Ｒ（レッド），Ｇ（グリーン），Ｂ（ブルー）の三原色のフィルタが形成されたフォトダイオードから成る読み取り開口部３２ａ、３２ｂ、３２ｃを設けており、３つの読取ラインを副走査方向に１画素４２μｍ間隔で読取画素のラインが形成されると共に、主走査方向の画素ピッチも４２μｍ間隔で構成されている。この開口部３２ａ、３２ｂ、３２ｃのフォトダイオードによって、蓄積時間の間、入射光量に対応した電荷が発生する。
【００２７】
図中の３２ｄは電荷転送部であり、１ラインの先頭のタイミングでシフトパルスを与えることにより、開口部３２ａ、３２ｂ、３２ｃから電荷が電荷転送部３２ｄに移動する。電荷転送部３２ｄに移動した電荷は、転送クロックを与えることにより、Ｇ，Ｂ，Ｒ，Ｇ，Ｂ，Ｒ，…の順番に出力アンプ部３２ｅに時分割で転送される。出力アンプ部３２ｅにて電荷を電圧に変換した後、電圧出力としてＧ，Ｂ，Ｒ，Ｇ，Ｂ，Ｒの順番に信号が出力される。
【００２８】
図７は、上記構成の画像読み取り装置を搭載した画像形成装置の断面構成を示す図である。
【００２９】
同図において、符号２００は上述した本実施形態の画像読み取り装置であり、原稿を読み取り、デジタル信号処理を行う。また、３００はプリンタ部であり、画像読み取り装置２００によって読み取られた原稿画像に対応した画像を用紙上にフルカラーでプリント出力する。
【００３０】
画像読み取り装置２００においては、原稿搬送装置（ＡＤＦ：ａｕｔｏ　ｄｏｃｕｍｅｎｔ　ｆｅｅｄｅｒ）４００によって原稿台ガラス（プラテン）２０５上に載置された原稿４０１を、図４に示したＣＩＳモジュール３ａ内の照明光源３４の光で照射する。この原稿４０１からの反射光は結像レンズ３５によりカラーラインセンサ３２上に像を結ぶ。また、流し読みガラス２０８の位置にＣＩＳモジュール３ａを停止させておくことにより、ＡＤＦ４００から連続的に原稿を供給して、読み取ることができる。
【００３１】
カラーラインセンサ３２は、原稿からの光情報を色分解して、それによりフルカラー情報のレッド（Ｒ），グリーン（Ｇ），ブルー（Ｂ）成分を読み取った後、信号処理部１００に送る。カラーラインセンサ３２の各色成分読み取リセンサ列は、例えば各々が７５００画素から構成されている。これにより、原稿台ガラス２０５上に載置される原稿の中で最大サイズである、Ａ３サイズの原稿の短手方向２９７ｍｍを６００ｄｐｉの解像度で読み取る。
【００３２】
なお、ＣＩＳモジュール３ａは速度Ｖで、その電気的な走査方向（以下、主走査方向という）に対して垂直方向（以下、副走査方向という）に機械的に動かすことにより、原稿台ガラス（プラテン）２０５上の原稿４０１の全面を走査することもできる。
【００３３】
プリンタ部３００では、画像読み取り装置２００からのＭ，Ｃ，Ｙ，Ｂｋの各画像信号がレーザドライバ３１２に送られる。レーザドライバ３１２は、画信号に応じて半導体レーザ３１３を変調駆動する。そして、レーザ光は、ポリゴンミラー３１４、ｆ　θレンズ３１５、ミラー３１６を介して、感光ドラム３１７上を走査する。
【００３４】
そして、マゼンタ現像器３１９、シアン現像器３２０、イエロー現像器３２１、及びブラック現像器３２２により構成された４つの現像器が交互に感光ドラム３１７に接して、感光ドラム３１７上に形成されたＭ，Ｃ，Ｙ，Ｂｋの静電潜像を、対応するトナーで現像する。また、転写ドラム３２３は、用紙カセット３２４または用紙カセット３２５より給紙された用紙を転写ドラム３２３に巻き付け、感光ドラム３１７上に現像されたトナー像を用紙に転写する。
【００３５】
このようにして、Ｍ，Ｃ，Ｙ，Ｂｋの４色についてのトナー像が順次、転写された後、用紙は定着ユニット３２６を通過して排紙される。
【００３６】
上述したように、原稿読み取り部３のＣＩＳ基板３ａ上には、主走査方向の全てのエリアを網羅すべく複数のＣＣＤセンサチップが搭載されており（図５の３２−１〜３２−１６参照）、該ＣＣＤセンサを動作させ画像情報の受け渡しを行うために、該ＣＩＳ基板３ａ上及び信号伝送ケーブル４には非常に大きな高周波電流が流されることになる。特に最近ではカラー化や高精細化により、信号線の本数は増え、ますますノイズも増大する傾向にある。この様な大きなノイズ源である原稿読み取り部３が、副走査方向に摺動するために安定した金属筐体接続も困難な状態で動作することから考えても、ノイズの放射効率を可能な限り低減する構造にすることは重要なことである。以下、このような観点から本実施形態の画像読み取り装置における各部材の位置関係について詳細を説明する。
【００３７】
図８（ａ），（ｂ）は、第２実施形態における画像読み取り装置について各部材の位置関係を示す模式図であり、同図（ａ）は、その上面図、同図（ｂ）は、副走査方向の側面図である。
【００３８】
同図（ａ），（ｂ）から明らかなように、本実施形態の画像読み取り装置は、画像処理基板１０ａ上のコネクタ１１が、原稿読み取り部３の動作範囲の略中央（＝本体枠１の略中央）に位置しており、かつ該コネクタ１１の極近傍にケーブル固定のために設けられた樹脂製クランプ部材７を起点に、信号伝送ケーブル４が屈曲動作をする構造である。
【００３９】
また、図８（ａ）に示すように、信号伝送ケーブル４は該原稿読み取り部３の主走査方向に対して、両端及び中央を外した位置、例えば、この場合片端から１６分の７の位置に設けられている。これは、放射ノイズを低減するために該信号伝送ケーブル４及び該原稿読み取り部３が効率の良いアンテナ構造になることを避けるためのものである。
【００４０】
本実施形態では、画像処理基板１０ａ上に実装された画像信号伝送ケーブル用コネクタ１１を、原稿読み取り部３の副走査方向動作範囲の略中央に配置するようにしたので、原稿読み取り部３と画像処理基板１０ａ間の画像信号伝送用のフラット型ケーブル４を実質的に最短化することが可能になり、アンテナとして作用するケーブルを短くすることができる。
【００４１】
さらに、画像処理基板側コネクタ１１の極近傍でケーブル４を、潤滑性を持った樹脂部材等のケーブルクランプ材７で固定するようにしたので、コネクタ１１に加わるストレスを解消し冗長部分を極力減らすことも可能になる。
【００４２】
また、原稿読み取り部側コネクタ１２の取り付け位置を該原稿読み取り部３の中央や両端を避けた位置にするようにしたので、例えば強い共振現象が発生しにくくなり、アンテナ効率を下げることができる。
【００４３】
［第３実施形態］
図９（ａ），（ｂ）は、本発明の第３実施形態に係る画像読み取り装置の構成を示す模式図であり、同図（ａ）は、その上面図、同図（ｂ）は、副走査方向の側面図である。なお、図８と共通の要素には同一の符号を付し、その説明を省略する。
【００４４】
本実施形態の画像読み取り装置は、基本的には上記第３実施形態と同様の構成であるが、画像処理基板１０ａにおけるシールドケース２からのケーブル出口を該シールドケース２の上面に配置し、該ケーブル出口部に、エッジサドルを兼ねた平型のフェライトコア１７を設けて、ケーブル４を固定した点が異なる。
【００４５】
このようにフェライトコア１７を設けたので、フェライトコア１７による放射ノイズ抑制効果と合わせて、エッジサドル効果が期待でき、さらにケーブル４の固定により、画像処理基板１０ａ上のコネクタ１１に加わるストレスを緩和することができる。
【００４６】
［第４実施形態］
アンテナとして作用するケーブルをさらに短くするには、冗長な部分を巻き取る、あるいは原稿読み取り部３の副走査方向を装置の短手方向にする、といった構造がある。本実施形態では、ケーブルの冗長な部分を巻き取るようにした構造について説明する。
【００４７】
図１０（ａ），（ｂ）は、本発明の第４実施形態に係る画像読み取り装置の構成を示す模式図であり、同図（ａ）は、その上面図、同図（ｂ）は、副走査方向の側面図である。なお、図８と共通の要素には同一の符号を付し、その説明を省略する。
【００４８】
本実施形態の画像読み取り装置は、基本的には上記第２実施形態と同様の構成であるが、原稿読み取り部３と画像処理基板１０ａ間の信号伝送ケーブル４の画像処理基板側コネクタ１１近傍に、ケーブル巻き取り構造（コロ方式等）１３を有するようにしたものである。
【００４９】
これによって、信号伝送ケーブル４の冗長部分を原稿読み取り部３の副走査方向動作に合わせて巻き取ることができ、放射ノイズのアンテナとして作用する可能性が高いケーブル冗長部分と金属筐体等との位置関係が不安定に変化することに起因する、放射ノイズ特性の不安定な変動を抑えることが可能になる。
【００５０】
図１１は、図１０（ａ），（ｂ）に示したケーブル巻き取り構造１３の拡大図であり、上記図１０（ａ），（ｂ）の構造において、信号伝送ケーブル４として、シールド材を剥き出しにしたシールドフラット型ケーブルを用いた場合の、巻き取り構造１３付近を示している。
【００５１】
ケーブル巻き取り構造１３のケーブル出口は、ケーブル４を押え付けながら該ケーブル４の剥き出しのシールド材に接触し、かつその下の金属筐体１６にも接触するバネ構造１４になっている。これによって該信号伝送ケーブル４は、常に該巻き取り構造１３の先の部分のみアンテナとして作用することになり、見かけ上アンテナとして作用するケーブルが短縮され、ノイズ低減効果が期待できるものである。
【００５２】
［第５実施形態］
本実施形態では、アンテナとして作用するケーブルをさらに短くする構造として、原稿読み取り部３の副走査方向を装置の短手方向にするようにした構造について説明する。
【００５３】
図１２（ａ），（ｂ）は、本発明の第５実施形態に係る画像読み取り装置の構成を示す模式図であり、同図（ａ）は、その上面図、同図（ｂ）は、副走査方向の側面図である。なお、図８と共通の要素には同一の符号を付し、その説明を省略する。
【００５４】
本実施形態の画像読み取り装置は、基本的には上記第２実施形態と同様の構成であるが、原稿読み取り部３の副走査方向を画像読み取り装置の全体枠１（原稿読み取り範囲と略相似であることを前提とする）の通常の長手方向ではなく、短手方向にしたものである。
【００５５】
当然、通常の長手方向動作範囲に対して短手方向動作範囲は短くなる訳であるから、信号伝送ケーブル４も短くなり、アンテナとして作用するケーブルが短縮される。これにより、ケーブル４部分の状態が不安定に変動する危険が軽減され、結果として放射ノイズ特性の安定化が期待できる。
【００５６】
［第６実施形態］
上記各実施形態のようにケーブル４に冗長な遊び部分が存在しないような構造にすると、ケーブル４の屈曲疲労の問題から、画像読み取り装置全体の厚みを大きくとらなければならなくなることが懸念されるが、これを解決する構造としては、ケーブル４の屈曲方向を鉛直方向ではなく平行方向に変えたり、蛇腹状のケーブルにするなどの構造が考えられる。本実施形態では、ケーブル４の屈曲方向を鉛直方向ではなく平行方向にした構造について説明する。
【００５７】
図１３（ａ），（ｂ）は、本発明の第６実施形態に係る画像読み取り装置の構成を示す模式図であり、同図（ａ）は、その上面図、同図（ｂ）は、副走査方向の側面図である。なお、図８と共通の要素には同一の符号を付し、その説明を省略する。
【００５８】
本実施形態の画像読み取り装置は、原稿読み取り部３に対して画像処理基板１０ａが鉛直方向に実装されており、該画像処理基板１０ａに接続される信号伝送ケーブル４が、原稿読み取り部３の動作に対して平行な方向１９に屈曲する。該信号伝送ケーブル４は原稿読み取り部３近傍で、折り曲げ部１８により捻られることにより、該原稿読み取り部３上のコネクタ１２に接続される。
【００５９】
このようにケーブル屈曲方向を９０度回転することによって、原稿読み取り部側コネクタ１２と画像処理基板側コネクタ１１との最接近距離を、画像読み取り装置の全体枠１の厚み方向サイズに関係なく余裕をもってとれることになり、該信号伝送ケーブル４の屈曲疲労を軽減すると共に、画像読み取り装置の全体枠１の厚みを薄くできる、つまり製品全体の厚みを薄くすることを可能にする。
【００６０】
［第７実施形態］
本実施形態では、画像読み取り装置全体の厚みを抑えるために、蛇腹状のケーブルを用いた構造について説明する。
【００６１】
図１４（ａ），（ｂ）は、本発明の第７実施形態に係る画像読み取り装置の構成を示す模式図であり、同図（ａ）は、その上面図、同図（ｂ）は、副走査方向の側面図である。なお、図８と共通の要素には同一の符号を付し、その説明を省略する。
【００６２】
本実施形態の画像読み取り装置は、基本的には上記第２実施形態と同様の構成であるが、原稿読み取り部３と画像処理基板１０ａ間の信号伝送ケーブル４として、蛇腹構造のケーブルを用いたものである。
【００６３】
このように蛇腹構造のケーブル４を用いることにより、ケーブル４の屈曲疲労を軽減すると共に、画像読み取り装置の全体枠１の厚みを薄くできる、つまり製品全体の厚みを薄くすることができる。
【００６４】
【発明の効果】
以上詳細に説明したように本発明によれば、原稿読み取り部と画像処理部との間を接続し画像情報を伝送するケーブルについて、屈曲性を確保しながら最短でかつ冗長な部分が無い形態にすることができるので、ノイズ特性を改善することができると共に、原稿読み取り部の動作に伴い発生するノイズ特性のバラツキも抑制することが可能になる。これによって、ケーブルの伝送特性のバラツキも抑制されるので、画像・動作の安定性の確保にも寄与する。
【図面の簡単な説明】
【図１】本発明の第１実施形態に係る画像読み取り装置の構成を示す模式図である。
【図２】本発明の第２実施形態に係る画像読み取り装置の外観斜視図である。
【図３】図２に示した画像読み取り装置における要部の電気的な接続状態を示すブロック図である。
【図４】図３に示したＣＩＳ基板（ＣＩＳモジュール）３ａの構成を示す断面図である。
【図５】図４に示したＣＩＳモジュール３ａのカラーラインセンサ３２を巨視的に捉えた平面図である。
【図６】図４に示したＣＩＳモジュール３ａにおけるカラーラインセンサ３２の微視的部分を拡大した図である。
【図７】本発明の画像読み取り装置を搭載した画像形成装置の断面構成を示す図である。
【図８】第２実施形態の画像読み取り装置について各部材の位置関係を示す模式図である。
【図９】本発明の第３実施形態に係る画像読み取り装置の構成を示す模式図である。
【図１０】本発明の第４実施形態に係る画像読み取り装置の構成を示す模式図である。
【図１１】図１０に示したケーブル巻き取り構造の拡大図である。
【図１２】本発明の第５実施形態に係る画像読み取り装置の構成を示す模式図である。
【図１３】本発明の第６実施形態に係る画像読み取り装置の構成を示す模式図である。
【図１４】本発明の第７実施形態に係る画像読み取り装置の構成を示す模式図である。
【符号の説明】
１　画像読み取り装置本体枠
２　画像処理基板シールドケース
３　原稿読み取り部
３ａ　ＣＩＳ基板
４　フラット型ケーブル
５　支持レール
６　低摩擦接触スペーサ
７　樹脂製ケーブルクランプ
８　シールドケーブル
９　ガラス製原稿台
１０　画像処理部
１０ａ　画像処理基板
１１　画像処理基板側コネクタ
１２　原稿読み取り部側コネクタ
１３　ケーブル巻き取り構造
１４　バネ構造
１６　金属筐体
１７　平型フェライトコア
１８　ケーブル折り曲げ部
【図１】
2004048653.tif 000003
【図２】
2004048653.tif 000004
【図３】
2004048653.tif 000005
【図４】
2004048653.tif 000006
【図５】
2004048653.tif 000007
【図６】
2004048653.tif 000008
【図７】
2004048653.tif 000009
【図８】
2004048653.tif 000010
【図９】
2004048653.tif 000011
【図１０】
2004048653.tif 000012
【図１１】
2004048653.tif 000013
【図１２】
2004048653.tif 000014
【図１３】
2004048653.tif 000015
【図１４】
2004048653.tif 000016